(57)【要約】      （修正有）【課題】血液磁気刺激装置を提供する。【解決手段】血液磁気刺激装置は磁気刺激ユニット１０を有する。磁気刺激ユニット１０は刺激コイル１３を有し、血液輸送ユニット３０上に設置し、或いは使用者２００の身体上に直接装着する。同時に刺激コイル１３はパルス発生ユニット２０をさらに接続し、パルス電流を出力し刺激コイル１３を刺激し、電磁パルスの方式を利用し、磁気刺激ユニット１０を流れる血液、或いは使用者２００の皮下血管内の血液に対して強力だが一時的な磁気刺激を加える。これにより、血液内のウィルス血症及び関連疾病に対して磁化治療を行う。【選択図】図１
2019130171.tif 000002
【特許請求の範囲】
【請求項１】
血液磁気刺激装置であって、磁気刺激ユニット、パルス発生ユニット、血液輸送ユニットを有し、
前記磁気刺激ユニットは、容器を有し、前記容器内には、チャンバーを設置し、
前記容器外には、前記チャンバーを貫通して相互に連通する入口と出口を設置し、
前記容器上には、前記チャンバーを取り囲む刺激コイルを設置し、
前記血液輸送ユニットは、使用者の血管と前記容器の前記入口との間に接続するインプット管、及び前記容器の前記出口と前記使用者の血管との間に接続するアウトプット管を有し、前記使用者の血管から順番に前記インプット管、前記容器のチャンバー、前記アウトプット管を通過し、前記使用者の血管に戻る血液流動ルートを構成し、
前記血液流動ルート上には、血液ポンプを接続し、前記血管内の血液が前記血液流動ルートに沿って流動するよう駆動し、
前記パルス発生ユニットは、前記刺激コイルに電気的に接続し、パルス電流を出力し、前記刺激コイルを刺激して、時変磁場を発生させ、電磁誘導により、前記チャンバー内に誘導電場を生成し、誘導電流を発生し、前記チャンバー内を流れる血液に対して、一時的な磁気刺激を行うことを特徴とする血液磁気刺激装置。
【請求項２】
前記容器は、長柱形に形成し、前記容器の両端部に、前記入口と前記出口をそれぞれ設置し、
前記刺激コイルは、前記容器の長さ方向に沿って、前記容器の外側を取り囲むことを特徴とする請求項１に記載の血液磁気刺激装置。
【請求項３】
前記血液磁気刺激装置は、抗凝血ポンプをさらに有し、
前記抗凝血ポンプは、前記血液流動ルート上に接続し、抗凝血薬物を注入することを特徴とする請求項１に記載の血液磁気刺激装置。
【請求項４】
前記血液磁気刺激装置は、気泡モニターをさらに有し、
前記気泡モニターは、前記血液流動ルート上に接続し、血液中に気泡が存在しないかどうかを監視することを特徴とする請求項１に記載の血液磁気刺激装置。
【請求項５】
前記血液磁気刺激装置は、ストップバルブをさらに有し、
前記ストップバルブは、前記血液流動ルート上に接続し、前記血液流動ルートを遮断することを特徴とする請求項１に記載の血液磁気刺激装置。
【請求項６】
前記血液磁気刺激装置は、複数の圧力センサーをさらに有し、
前記圧力センサーは、前記血液流動ルート上に接続し、前記血液流動ルート上の血圧を感知することを特徴とする請求項１に記載の血液磁気刺激装置。
【請求項７】
血液磁気刺激装置であって、磁気刺激ユニット、パルス発生ユニット、血液輸送ユニット、抗凝血ポンプ、気泡モニター、ストップバルブ、複数の圧力センサーを有し、
前記磁気刺激ユニットは、環状装着物を有し、前記環状装着物の内壁面間には、囲まれた装着空間を形成し、使用者の身体上に嵌めて設置でき、
前記環状装着物上には、前記装着空間を取り囲む刺激コイルを設置し、
前記パルス発生ユニットは、前記刺激コイルに電気的に接続し、パルス電流を出力し、前記刺激コイルを刺激して、時変磁場を発生させ、電磁誘導により、前記装着空間内に誘導電場を生成させ、前記使用者の皮下血管内で誘導電流を発生し、前記血管内の血液に対して、一時的な磁気刺激を加えることを特徴とする血液磁気刺激装置。
【請求項８】
前記血液磁気刺激装置は、ソフトライニングをさらに有し、
前記ソフトライニングは、前記環状装着物の内壁面に環状に設置することを特徴とする請求項７に記載の血液磁気刺激装置。
【請求項９】
前記パルス発生ユニットは、高圧直流電源を有し、
前記高圧直流電源は、充電回路を通じて、キャパシターに接続し、
前記キャパシターは、放電回路を通じて、前記刺激コイルに接続し、
さらに、コントロールモジュール、前記充電回路に設置される充電スイッチ、及び前記放電回路に設置される放電スイッチを有し、
前記放電回路には、分岐回路を接続し、
前記分岐回路には、パルス整形モジュールを設置し、
前記充電回路には、電流制限抵抗を設置し、
前記放電回路には、コイル電気抵抗を設置し、
前記分岐回路には、分岐電気抵抗を設置することを特徴とする請求項１に記載の血液磁気刺激装置。
【請求項１０】
前記パルス発生ユニットは、高圧直流電源を有し、
前記高圧直流電源は、充電回路を通じて、キャパシターに接続し、
前記キャパシターは、放電回路を通じて、前記刺激コイルに接続し、
さらに、コントロールモジュール、前記充電回路に設置される充電スイッチ、及び前記放電回路に設置される放電スイッチを有し、
前記放電回路には、分岐回路を接続し、
前記分岐回路には、パルス整形モジュールを設置し、
前記充電回路には、電流制限抵抗を設置し、
前記放電回路には、コイル電気抵抗を設置し、
前記分岐回路には、分岐電気抵抗を設置することを特徴とする請求項７に記載の血液磁気刺激装置。
【発明の詳細な説明】
【技術分野】
【０００１】
本発明は、血液磁気刺激装置に関し、特に直接血液に対して一時的な磁気刺激を加える血液磁気刺激装置に関する。
【背景技術】
【０００２】
血液疾病治療に関する文献で、よく見られるのは、血液透析法である。
その主要原理は、血液透析機の浸透膜或いは中空シルク膜を利用し、血液をろ過し、血液中の新陳代謝廃棄物と雑質を除去するものである。
しかし、この種の方式は、腎不全の患者或いは血液中毒等で身体が自ら有害物質を排出できない状況に対して用いられるもので、ＡＩＤＳ、ウィルス性脳炎、ウィルス性肝炎、三叉神経痛、帯状疱疹等の血液内のウィルス血症及び関連疾病に対しては、効果はない。
【０００３】
上記状況に鑑み、血液に通電し、血液内に存在する可能性があるウィルスを消滅させようという考え方が提案された。
しかし、この種の直接通電の方式は、非常に危険であるばかりか、電流刺激により激痛を生じ、患者が受け入れられず、さらには血液組成を破壊してしまう恐れもある。
よって、現在では、研究上の特殊な状況において、献血された血液を滅菌する場合などにのみ使用されている。
本発明者は、上述の結果を観察後、現行の血液疾病治療装置には改善の必要があると考え、本発明を創作した。
【発明の概要】
【発明が解決しようとする課題】
【０００４】
前記先行技術には、非常に危険であるばかりか、電流刺激により激痛を生じ、患者が受け入れられず、さらには血液組成を破壊してしまう恐れもあるため、現在では、研究上の特殊な状況において、献血された血液を滅菌する場合などにのみ使用されているという欠点がある。本発明は、当該欠点を解消することを目的とする。
【課題を解決するための手段】
【０００５】
本発明による血液磁気刺激装置は、磁気刺激ユニット、パルス発生ユニット、血液輸送ユニットを有する。
磁気刺激ユニットは、容器を有し、容器内には、チャンバーを設置し、容器外には、チャンバーを貫通して相互に連通する入口と出口を設置し、容器上には、チャンバーを取り囲む刺激コイルを設置する。
血液輸送ユニットは、使用者の血管と容器の入口との間に接続するインプット管、及び容器の出口と使用者の血管との間に接続するアウトプット管を有する。
これにより、使用者の血管から順番にインプット管、容器のチャンバー、アウトプット管を通過し、さらに使用者の血管に戻る血液流動ルートを構成する。
同時に、血液流動ルート上には、血液ポンプを接続し、血管内の血液が血液流動ルートに沿って流動するよう駆動する。
パルス発生ユニットは、刺激コイルに電気的に接続し、パルス電流を出力し、刺激コイルを刺激して、時変磁場を発生させ、電磁誘導により、チャンバー内に誘導電場を生成する。
こうして、誘導電流を発生し、チャンバー内を流れる血液に対して、強力だが、一時的な磁気刺激を行う。
【０００６】
本発明による磁気刺激装置は、磁気刺激ユニット、パルス発生ユニット、血液輸送ユニット、抗凝血ポンプ、気泡モニター、ストップバルブ、複数の圧力センサーを有する。
磁気刺激ユニットは、環状装着物を有し、環状装着物の内壁面間には、囲まれた装着空間を形成し、これにより使用者の身体上に嵌めて設置でき、同時に、環状装着物上にはさらに、装着空間を取り囲む刺激コイルを設置する。
パルス発生ユニットは、刺激コイルに電気的に接続し、パルス電流を出力し、刺激コイルを刺激して、時変磁場を発生させ、電磁誘導により、装着空間内に誘導電場を生成させ、こうして、使用者の皮下血管内で誘導電流を発生し、血管内の血液に対して、強力だが、一時的な磁気刺激を加える。
【０００７】
本発明による血液磁気刺激装置は、血液輸送ユニットを通じて、使用者の血液を、容器のチャンバー内に輸送し、さらにパルス発生ユニットを操作して、パルス電流を出力し、刺激コイルを刺激し、電磁誘導により、チャンバーを流れる血液に対して磁気刺激を加える。
こうして、ＡＩＤＳ、ウィルス性脳炎、ウィルス性肝炎、三叉神経痛、帯状疱疹等の血液内のすべてのウィルス血症及び関連疾病に対して、磁化治療を行うことができる。
別の実施形態では、環状装着物を、使用者の身体上に装着し、さらに刺激コイルを刺激し時変磁場を生成させ、使用者の皮下血管内で直接誘導電流を発生させ、こうして、無創性体内電磁パルス治療の方式を通じて、血液磁化治療を行うことができる。
磁気刺激の方式を採用すると、通常、各パルスは数ミリ秒も持続せず、大したエネルギーを保持しないため、現行の血液治療装置に比べ、激痛を生じず、不快感がなく、安全性が高く、さらに容易に病人に受け入れられる。
【０００８】
本発明は、直接血液に対して強力でありながら一時的な磁気刺激を加え、血液内のウィルス血症及び関連疾病に対して磁化治療を行い、現行の血液治療装置と比較すると、激痛を生じず、不快感がなく、安全性が高い血液磁気刺激装置に関する。
【図面の簡単な説明】
【０００９】
【図１】本発明の第一実施形態の血液磁気刺激装置を示す模式図である。
【図２】本発明の第一実施形態の血液磁気刺激装置のパルス発生ユニットの回路模式図である。
【図３】本発明の第一実施形態の血液磁気刺激装置に係る実験数値データ表である。
【図４】本発明の第二実施形態の血液磁気刺激装置を示す模式図である。
【図５】本発明の第三実施形態の血液磁気刺激装置を示す模式図である。
【発明を実施するための形態】
【００１０】
（第一実施形態）
本発明の第一実施形態の血液磁気刺激装置の模式図及びパルス発生ユニットの回路模式図を図１及び図２に示す。図１及び図２に示すように、血液磁気刺激装置１００は、磁気刺激ユニット１０、パルス発生ユニット２０、血液輸送ユニット３０、抗凝血ポンプ４０、気泡モニター５０、ストップバルブ６０、複数の圧力センサー７０を有する。
【００１１】
磁気刺激ユニット１０は、容器１１を有する。
しかも、容器１１内には、チャンバー１２を設置する。
また、容器１１外には、チャンバー１２を貫通して相互に連通する入口１２１と出口１２２を設置する。
容器１１上には、チャンバー１２を取り囲む刺激コイル１３を設置する。
本実施形態において、容器１１は、長柱形に形成し、好ましくは、円柱形である。
容器１１の両端部に、入口１２１と出口１２２をそれぞれ設置する。
同時に、刺激コイル１３は、容器１１の長さ方向に沿って、容器１１の外側を取り囲む。
【００１２】
パルス発生ユニット２０は、刺激コイル１３に電気的に接続する。
図２に示すように、パルス発生ユニット２０は、高圧直流電源２１を有する。
高圧直流電源２１は、充電回路２２を通じて、キャパシター２３に接続する。
キャパシター２３は、放電回路２４を通じて、刺激コイル１３に接続する。
さらに、コントロールモジュール２５を有し、充電回路２２に設置される充電スイッチ２５１、及び放電回路２４に設置される放電スイッチ２５２を有する。
放電回路２４には、分岐回路２６を接続する。
分岐回路２６には、パルス整形モジュール２７を設置する。
この他、充電回路２２には、電流制限抵抗２２１を設置し、及び放電回路２４には、コイル電気抵抗２４１を設置し、さらに分岐回路２６には、分岐電気抵抗２６１を設置する。
【００１３】
血液輸送ユニット３０は、使用者２００の血管と容器１１の入口１２１との間に接続するインプット管３１、及び容器１１の出口１２２と使用者２００の血管との間に接続するアウトプット管３２を有する。
これにより、使用者２００の血管から順番にインプット管３１、容器１１のチャンバー１２、アウトプット管３２を通過し、さらに使用者２００の血管に戻る血液流動ルートＴを構成する。
インプット管３１とアウトプット管３２は通常は、チューブニードル３１１、３２１を通じて、使用者２００の静脈に接続する。
この他、血液流動ルートＴ上には、血液ポンプ３３を接続し、血管内の血液が血液流動ルートＴに沿って流動するよう駆動する。
【００１４】
抗凝血ポンプ４０は、血液流動ルートＴ上に接続し、抗凝血薬物を注入する。
【００１５】
気泡モニター５０は、血液流動ルートＴ上に接続し、血液中に気泡が存在しないかどうかを監視する。
【００１６】
ストップバルブ６０は、血液流動ルートＴ上に接続し、血液流動ルートを遮断する。
【００１７】
複数の圧力センサー７０は、血液流動ルートＴ上に接続し、血液流動ルートＴの血圧を感知する。
【００１８】
同時に図１及び図２に示すように、血液磁気刺激装置１００の使用時には、先ずインプット管３１とアウトプット管３２を、各チューブニードル３１１、３２１を通じて、使用者２００の血管に接続する。
通常は、使用者２００の静脈に接続する。
その後、血液ポンプ３３を起動し、これにより血液ポンプ３３は血管内の血液を吸い取り、血液を駆動し血液流動ルートＴに沿って流動させる。
先ずインプット管３１を経由し、入口１２１からチャンバー１２に流入し、さらに出口１２２よりチャンバー１２から流出し、アウトプット管３２に沿って、再び使用者２００の血管に戻る。
同時に、パルス発生ユニット２０を起動し、これによりコントロールモジュール２５は、使用者設定のパラメーターに基づき、充電スイッチ２５１をオンにし、放電スイッチ２５２をオフにする。
こうして、高圧直流電源２１は、キャパシター２３に対して充電を行い、或いは充電スイッチ２５１をオフにし、放電スイッチ２５２をオンにし、キャパシター２２に蓄えられていた電気エネルギーを放出する。
パルス電流をアウトプットし、刺激コイル１３を刺激し、時変磁場を発生し、電磁誘導により、チャンバー１２内で、誘導電場を生成する。
こうして、誘導電流を発生し、チャンバー１２内を流れる血液に対して、強力であっても、一時的な磁気刺激を行う。
これにより、ＡＩＤＳ、ウィルス性脳炎、ウィルス性肝炎、三叉神経痛、帯状疱疹等の血液内のすべてのウィルス血症及び関連疾病に対して、磁化治療を行う。
上記のウィルス血症は例に過ぎず、本発明の技術的範囲を制限するものではない。
【００１９】
さらに図３は、本発明の第一実施形態の実験数値データ表で、本発明の実際の効果を示している。
我々は神経芽細胞腫培養試験中において、毎日、磁気刺激組と無磁気刺激組の細胞斑数量を採集して観察し、図３に示す単純疱疹ウィルスの増長率数値データ表を完成した。
数値データ表から分かるように、磁気刺激組の細胞斑数量は、最初の８日間で有効に抑制されており、ウィルスの早期増殖期に、磁気刺激磁化治療により抑制されたことを示している。
【００２０】
（第二実施形態、第三実施形態）
図４及び図５は、本発明の第二実施形態と第三実施形態の血液磁気刺激装置を示す模式図である。
本実施形態と前述の第一実施形態との異なる点は以下の通りである。
磁気刺激ユニット１０は、環状装着物１４を有し、しかも環状装着物１４の内壁面間には、囲まれた装着空間１４１を形成し、これにより図４に示す腕、或いは図５に示す足などの使用者２００の身体上に嵌めて設置することができる。
また、環状装着物１４上にはさらに、装着空間１４１を取り囲む刺激コイル１３を設置する。
また、さらにソフトライニング１５を有し、環状装着物１４の内壁面に環状に設置し、これにより磁気刺激ユニット１０装着時の快適性を向上させる。
パルス発生ユニット２０は、刺激コイル１３に電気的に接続し、パルス電流をアウトプットし、刺激コイル１３を刺激し、時変磁場を発生させる。
これにより、電磁誘導により、装着空間１４１内で誘導電場を生成する。
こうして、使用者２００の皮下血管内で誘導電流を発生し、血管内の血液に対して強力だが、一時的な磁気刺激を行う。
これにより、前述の第一実施形態が採用する体外磁化治療に比べ、第二、三実施形態は、無創性体内電磁パルス治療の方式を通じて血液磁化治療を行うことができる。
【００２１】
パルス発生ユニット２０には、表示モジュール２８及び操作モジュール２９をさらに設置し、各項パラメーター設定の表示と入力を行い、充放電周波数の設定とコントロールを行うことができる。
しかも、パルス発生ユニット２０は、スイッチを採用しコントロールを行うため、回路全体は、高圧直流環境に維持され、パルス発生ユニット２０の供給効率が８０％以上に達するばかりか、変圧器を設置しなくとも、数千ボルトの電圧を簡単に出力できる。
【００２２】
さらに、磁気刺激の方式を採用すると、通常、各パルスは数ミリ秒も持続せず、大したエネルギーを保持しないため、現行の血液治療装置に比べ、激痛を生じず、不快感がなく、安全性が高く、さらに容易に病人に受け入れられる。
【００２３】
前述した本発明の実施形態は本発明を限定するものではなく、よって、本発明により保護される範囲は後述される特許請求の範囲を基準とする。
【符号の説明】
【００２４】
１００  血液磁気刺激装置、
１０  磁気刺激ユニット、
１１  容器、
１２  チャンバー、
１２１  入口、
１２２  出口、
１３  刺激コイル、
１４  環状装着物、
１４１  装着空間、
１５  ソフトライニング、
２０  パルス発生ユニット、
２１  高圧直流電源、
２２  充電回路、
２２１  電流制限抵抗、
２３  キャパシター、
２４  放電回路、
２４１  コイル電気抵抗、
２５  コントロールモジュール、
２５１  充電スイッチ、
２５２  放電スイッチ、
２６  分岐回路、
２６１  分岐電気抵抗、
２７  パルス整形モジュール、
２８  表示モジュール、
２９  操作モジュール、
３０  血液輸送ユニット、
３１  インプット管、
３１１  チューブニードル、
３２  アウトプット管、
３２１  チューブニードル、
３３  血液ポンプ、
４０  抗凝血ポンプ、
５０  気泡モニター、
６０  ストップバルブ、
７０  圧力センサー、
２００  使用者、
Ｔ  血液流動ルート。
【図１】
2019130171.tif 000003
【図２】
2019130171.tif 000004
【図３】
2019130171.tif 000005
【図４】
2019130171.tif 000006
【図５】
2019130171.tif 000007
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
血液磁気刺激装置であって、磁気刺激ユニット、パルス発生ユニット、血液輸送ユニットを有し、
前記磁気刺激ユニットは、容器を有し、前記容器内には、チャンバーを設置し、
前記容器外には、前記チャンバーを貫通して相互に連通する入口と出口を設置し、
前記容器上には、前記チャンバーを取り囲む刺激コイルを設置し、
前記血液輸送ユニットは、使用者の血管と前記容器の前記入口との間に接続するインプット管、及び前記容器の前記出口と前記使用者の血管との間に接続するアウトプット管を有し、前記使用者の血管から順番に前記インプット管、前記容器のチャンバー、前記アウトプット管を通過し、前記使用者の血管に戻る血液流動ルートを構成し、
前記血液流動ルート上には、血液ポンプを接続し、前記血管内の血液が前記血液流動ルートに沿って流動するよう駆動し、
前記パルス発生ユニットは、前記刺激コイルに電気的に接続し、パルス電流を出力し、前記刺激コイルを刺激して、時変磁場を発生させ、電磁誘導により、前記チャンバー内に誘導電場を生成し、誘導電流を発生し、前記チャンバー内を流れる血液に対して、一時的な磁気刺激を行い、高圧直流電源を有し、前記高圧直流電源は充電回路を通じてキャパシターに接続し、前記キャパシターは放電回路を通じて前記刺激コイルに接続し、さらに、コントロールモジュール、前記充電回路に設置される充電スイッチ、及び前記放電回路に設置される放電スイッチを有し、前記放電回路には分岐回路が接続され、前記分岐回路にはパルス整形モジュールが設置され、前記充電回路には電流制限抵抗が設置され、前記放電回路にはコイル電気抵抗が設置され、前記分岐回路には分岐電気抵抗が設置されることを特徴とする血液磁気刺激装置。
【請求項２】
前記容器は、長柱形に形成し、前記容器の両端部に、前記入口と前記出口をそれぞれ設置し、
前記刺激コイルは、前記容器の長さ方向に沿って、前記容器の外側を取り囲むことを特徴とする請求項１に記載の血液磁気刺激装置。
【請求項３】
前記血液磁気刺激装置は、抗凝血ポンプをさらに有し、
前記抗凝血ポンプは、前記血液流動ルート上に接続し、抗凝血薬物を注入することを特徴とする請求項１に記載の血液磁気刺激装置。
【請求項４】
前記血液磁気刺激装置は、気泡モニターをさらに有し、
前記気泡モニターは、前記血液流動ルート上に接続し、血液中に気泡が存在しないかどうかを監視することを特徴とする請求項１に記載の血液磁気刺激装置。
【請求項５】
前記血液磁気刺激装置は、ストップバルブをさらに有し、
前記ストップバルブは、前記血液流動ルート上に接続し、前記血液流動ルートを遮断することを特徴とする請求項１に記載の血液磁気刺激装置。
【請求項６】
前記血液磁気刺激装置は、複数の圧力センサーをさらに有し、
前記圧力センサーは、前記血液流動ルート上に接続し、前記血液流動ルート上の血圧を感知することを特徴とする請求項１に記載の血液磁気刺激装置。
【請求項７】
血液磁気刺激装置であって、磁気刺激ユニット、パルス発生ユニット、血液輸送ユニット、抗凝血ポンプ、気泡モニター、ストップバルブ、複数の圧力センサーを有し、
前記磁気刺激ユニットは、環状装着物を有し、前記環状装着物の内壁面間には、囲まれた装着空間を形成し、使用者の身体上に嵌めて設置でき、
前記環状装着物上には、前記装着空間を取り囲む刺激コイルを設置し、
前記パルス発生ユニットは、前記刺激コイルに電気的に接続し、パルス電流を出力し、前記刺激コイルを刺激して、時変磁場を発生させ、電磁誘導により、前記装着空間内に誘導電場を生成させ、前記使用者の皮下血管内で誘導電流を発生し、前記血管内の血液に対して、一時的な磁気刺激を加え、高圧直流電源を有し、前記高圧直流電源は充電回路を通じてキャパシターに接続し、前記キャパシターは放電回路を通じて前記刺激コイルに接続し、さらに、コントロールモジュール、前記充電回路に設置される充電スイッチ、及び前記放電回路に設置される放電スイッチを有し、前記放電回路には分岐回路が接続され、前記分岐回路にはパルス整形モジュールが設置され、前記充電回路には電流制限抵抗が設置され、前記放電回路にはコイル電気抵抗が設置され、前記分岐回路には分岐電気抵抗が設置されることを特徴とする血液磁気刺激装置。
【請求項８】
前記血液磁気刺激装置は、ソフトライニングをさらに有し、
前記ソフトライニングは、前記環状装着物の内壁面に環状に設置することを特徴とする請求項７に記載の血液磁気刺激装置。
【手続補正２】
【補正対象書類名】明細書
【補正対象項目名】０００７
【補正方法】変更
【補正の内容】
【０００７】
本発明による血液磁気刺激装置はさらに、血液輸送ユニットを通じて、使用者の血液を、容器のチャンバー内に輸送し、さらにパルス発生ユニットを操作して、パルス電流を出力し、刺激コイルを刺激し、電磁誘導により、チャンバーを流れる血液に対して磁気刺激を加える。
こうして、ＡＩＤＳ、ウィルス性脳炎、ウィルス性肝炎、三叉神経痛、帯状疱疹等の血液内のすべてのウィルス血症及び関連疾病に対して、磁化治療を行うことができる。
別の実施形態では、環状装着物を、使用者の身体上に装着し、さらに刺激コイルを刺激し時変磁場を生成させ、使用者の皮下血管内で直接誘導電流を発生させ、こうして、無創性体内電磁パルス治療の方式を通じて、血液磁化治療を行うことができる。
磁気刺激の方式を採用すると、通常、各パルスは数ミリ秒も持続せず、大したエネルギーを保持しないため、現行の血液治療装置に比べ、激痛を生じず、不快感がなく、安全性が高く、さらに容易に病人に受け入れられる。